(57)【要約】【課題】ＩＰ網で公衆電話サービスを実現することができる、公衆電話サービスシステム、公衆電話サービス方法、及びプログラムを提供する。【解決手段】網内アプリケーションサーバ５は、呼接続信号を受信し、当該呼接続信号を、前記呼制御サーバを介して加入電話機７に送信する呼接続信号制御部５１１と、呼接続信号を受信した場合に、公衆電話機が一回に収納する料金である度数及び収納周期を、前記課金レートを用いて決定する度数収納周期決定部５２１と、応答信号に決定した度数を含む課金情報を付与した収納指示信号として加入者サーバ４Ａを介して公衆電話機２に送信する応答収納指示信号生成部５２２と、決定した収納周期に従い、決定した度数を含む課金情報を設定した収納指示信号を生成し、加入者サーバ４Ａを介して公衆電話機２に送信する周期収納指示信号生成部５２３と、を備えることを特徴とする。【選択図】図４
2011129987.tif 000002
【特許請求の範囲】
【請求項１】
ＩＰネットワーク内のＩＰ変換装置と、呼制御サーバと、アプリケーションサーバとが互いに電話番号を含んだデータを通信することで前記ＩＰネットワークに接続される公衆電話機から他の電話機への通話を可能にする公衆電話サービスシステムであって、
前記公衆電話機から送信されるダイヤル信号を、前記ＩＰネットワークの呼接続信号に変換し、前記呼制御サーバを介して前記アプリケーションサーバに送信するダイヤル信号変換部と、前記アプリケーションサーバから送信され、当該公衆電話機に課金を指示する前記ＩＰネットワークの収納指示信号を、電話網の収納信号に変換し、当該公衆電話機に送信する収納信号変換部と、前記収納指示信号に対して、当該公衆電話機から送信される収納の結果を通知する信号を、ＩＰネットワークの収納結果信号に変換し、前記呼制御サーバを介して前記アプリケーションサーバに送信する収納結果信号変換部と、を備えるＩＰ変換装置と、
前記ダイヤル信号の送信元の公衆電話機に接続される前記ＩＰ変換装置から、前記呼接続信号を受信し、さらに、当該呼接続信号を、前記呼制御サーバを介して前記他の電話機に送信する呼接続信号制御部と、発信着信点間距離、及び時間帯を基にした単位料金あたりの通話時間である課金レートが記憶される記憶部と、前記呼接続信号を受信した場合に、公衆電話機が一回に収納する料金である度数及び収納周期を、前記課金レートを用いて決定する度数収納周期決定部と、前記呼接続信号に対して、当該他の電話機から呼接続が成功した応答信号を受信したときに、前記応答信号に前記決定した度数を含む課金情報を付与した前記収納指示信号として前記呼制御サーバを介して当該公衆電話機に送信する応答収納信号生成部と、前記決定した収納周期に従い、前記決定した度数を含む課金情報を設定した前記収納指示信号を生成し、前記呼制御サーバを介して当該公衆電話機に送信する周期収納指示信号生成部と、前記収納の結果を通知する信号の送信元の公衆電話機に接続される前記ＩＰ変換装置から、前記収納結果信号を受信したときに、料金を収納できていれば回線を維持し、料金を収納できていなければ回線を切断する収納結果判定部と、を備えるアプリケーションサーバと、
を含んで構成されることを特徴とする公衆電話サービスシステム。
【請求項２】
前記度数収納周期決定部は、
前記度数とは異なる度数を含んだ呼び出し信号を受信し、当該呼び出し信号から、新たに収納周期及び度数を決定する、
ことを特徴とする請求項１に記載の公衆電話サービスシステム。
【請求項３】
前記アプリケーションサーバ、または前記ＩＰ変換装置は、
前記ダイヤル信号の送信元の公衆電話機に接続される前記ＩＰ変換装置から、前記呼接続信号を受信した場合に、前記呼接続信号に発信者番号を通知不可とするパラメータを設定する発番号通知部をさらに備える、
ことを特徴とする請求項１または請求項２に記載の公衆電話サービスシステム。
【請求項４】
前記呼制御サーバ、または前記アプリケーションサーバは、
前期呼接続信号に設定されている電話番号が、通話可能な番号帯か否かを識別し、通話可能な番号帯なら接続処理に移行する接続制限部をさらに備える、
ことを特徴とする請求項１ないし請求項３の何れか一項に記載の公衆電話サービスシステム。
【請求項５】
前記ＩＰ変換装置、前記呼制御サーバ、または前記アプリケーションサーバは、
前記呼接続信号のパラメータに、発信者端末が公衆電話機を示すパラメータを設定する優先制御部をさらに備え、
前記ＩＰ変換装置、前記呼制御サーバ、及び前記アプリケーションサーバは、前記優先制御部を備える場合に、前記公衆電話機を示すパラメータを設定されている呼接続信号を優先して処理する、
ことを特徴とする請求項１ないし請求項４の何れか一項に記載の公衆電話サービスシステム。
【請求項６】
前記アプリケーションサーバは、
非課金指示を受信することで、前記公衆電話機に前記収納指示信号を送信しない公衆無料化部をさらに備える、
ことを特徴とする請求項１ないし請求項５の何れか一項に記載の公衆電話サービスシステム。
【請求項７】
前記公衆電話機がアナログ公衆電話機である場合に、
前記ＩＰ変換装置、前記呼制御サーバ、または前記アプリケーションサーバは、
前記公衆電話機が備える緊急ボタンを押下されたことを認識し、緊急呼を許容する番号に通話する以外はダイヤル信号を送信しない緊急ボタン発信部をさらに備える、
ことを特徴とする請求項１ないし請求項６の何れか一項に記載の公衆電話サービスシステム。
【請求項８】
ＩＰネットワーク内のＩＰ変換装置と、呼制御サーバと、アプリケーションサーバとが互いにデータを通信することで、前記ＩＰネットワークに接続される公衆電話機から他の電話機への通話を可能にする公衆電話サービスシステムに用いられる公衆電話サービス方法であって、
前記ＩＰ変換装置が、
前記公衆電話機からのダイヤル信号を、前記ＩＰネットワークの呼接続信号に変換した後に、前記呼接続信号を前記呼制御サーバを介して前記アプリケーションサーバに送信するステップと、
前記アプリケーションサーバが、
記憶部に記憶される、発信着信点間距離、及び時間帯を基にした単位料金あたりの通話時間である課金レートを用いて、当該公衆電話機が一回に収納する料金である度数及び収納周期を決定するステップと、
前記呼制御サーバを介して通話先の当該他の電話機に送信するステップと、
前記呼接続信号に対する応答信号を、当該他の電話機から前記呼制御サーバを介して受信するステップと、
当該他の電話機から受信した前記応答信号に前記決定した度数を含む課金情報を付与し、当該公衆電話機に課金を指示する収納指示信号として、前記呼制御サーバを介して当該公衆電話機に接続される前記ＩＰ変換装置に送信するステップと、
当該ＩＰ変換装置が、
前記アプリケーションサーバから受信した前記収納指示信号を、応答収納信号に変換した後に当該公衆電話機に送信し、前記応答収納信号に対する収納結果情報を受信するステップと、
前記公衆電話機から受信した前記収納結果情報を設定した収納結果信号を、前記呼制御サーバを介して前記アプリケーションサーバに送信するステップと、
前記アプリケーションサーバが、
前記決定した収納周期に従い、前記決定した度数を含む課金情報を設定した収納指示信号を、前記呼制御サーバを介して当該公衆電話機に接続される前記ＩＰ変換装置に送信するステップと、
前記ＩＰ変換装置が、
前記アプリケーションサーバから受信した前記収納指示信号を、周期収納信号に変換した後に当該公衆電話機に送信し、前記周期収納信号に対する収納結果情報を受信するステップと、
前記公衆電話機から受信した前記収納結果情報を設定した収納結果信号を、前記呼制御サーバを介して前記アプリケーションサーバに送信するステップと、
を実行することを特徴とする公衆電話サービス方法。
【請求項９】
前記アプリケーションサーバが、前記記憶部に記憶される、発信着信点間距離、及び時間帯を基にした単位料金あたりの通話時間である課金レートを用いて、当該公衆電話機が一回に収納する料金である度数及び収納周期を決定するステップは、
前記アプリケーションサーバが、
前記度数とは異なる度数を含んだ呼び出し信号を受信し、当該呼び出し信号から、新たに収納周期及び度数を決定する、
ことを特徴とする請求項８に記載の公衆電話サービス方法。
【請求項１０】
請求項８または請求項９に記載の公衆電話サービス方法を、前記ＩＰ変換装置、前記呼制御サーバ、前記アプリケーションサーバに実行させるためのプログラム。
【発明の詳細な説明】
【技術分野】
【０００１】
本発明は、公衆電話サービスシステム、公衆電話サービス方法、及びプログラムに関する。
【背景技術】
【０００２】
従来の公衆交換電話網（ＰＳＴＮ：Public Switched Telephone Network）におけるアナログ／ディジタル公衆電話サービス（非特許文献１参照）は、ＧＣ（Group unit Center）交換機に種々の機能を配備し、ＧＣ交換機同士が互いに通信することで実現されている。
【０００３】
ＧＣ交換機に配備される機能は、公衆電話サービスがアナログ／ディジタルにより異なる。アナログ公衆電話サービスでのＧＣ交換機が配備する機能としては、例えば、課金機能、収納度数のＣＤＲ(Call Detail Record)反映機能、公衆無料化機能、優先制御機能、発信者番号通知機能、接続制限機能、発信規制機能、緊急ボタン押下検出機能があげられる。ディジタル公衆電話サービスでのＧＣ交換機が配備する機能としては、例えば、課金機能、公衆無料化機能、優先制御機能、発信者番号通知機能、接続制限機能、発信規制機能、ＤＴファースト機能があげられる。
【０００４】
前記した機能を配備したＧＣ交換機による公衆電話（アナログ／ディジタル）サービスは図１８に記載される手順で行われる。なお、図１８に対応するアナログ公衆電話サービスのシーケンス図を図１９に示し、図１８に対応するディジタル公衆電話サービスのシーケンス図を図２０に示す。
【０００５】
最初に、公衆電話機に１０円硬貨、１００円硬貨の投入、またはカードの挿入を行い、発信者がダイヤルする（ステップＳ７０１）。次に、発側ＧＣ交換機は、通話可能な番号帯か識別する（接続許容判定）(ステップＳ７０２)。発側ＧＣ交換機は、通話可能な番号帯である場合は、接続処理に移行する。次に、発側ＧＣ交換機は、発信者番号非通知理由を「公衆電話のため通知不可」と設定する（ステップＳ７０３）。次に、着側ＧＣ交換機は、発信者番号非通知理由が「公衆電話のため通知不可」の場合においては発ＩＤを通知せず、端末側へ「C」を通知する（ステップＳ７０４）。
【０００６】
次に、発側ＧＣ交換機は、着側ＧＣ交換機からの応答信号受信時に、着側ＧＣ交換機との課金対地（ＫＡ）に準じた課金指数（ＭＢＩ）を抽出し、端末側へ課金パルス（応答収納信号）を送出する（ステップＳ７０５）。ここで、課金パルス（応答収納信号）送出時にコイン判定（１０円、１００円、カード収納)の識別をし、課金処理に反映する。ノーコイン時は切断する。ディジタル公衆電話機の場合、発側ＧＣ交換機は、ＤＳＳ１（ＳＥＴＵＰ）受信により投入度数を判断し、着側ＧＣ交換機からの応答信号受信時、初期登算度数通知を行う。以降、着側ＧＣ交換機との課金対地（ＫＡ）に準じた課金指数（ＭＢＩ）に応じた収納指示（収納度数および通話時間）を発端末へ行う（図２０のステップＳ７０５）。
【０００７】
次に、発側ＧＣ交換機は、収納周期に応じ周期収納信号を端末側へ送出する（ステップＳ７０６）。ディジタル公衆電話機の場合、収納指示を送出し、収納結果を受信する（図２０のステップＳ７０６）。次に、発側ＧＣ交換機は、切断時に呼情報を生成する（ステップＳ７０７）。これにより、公衆電話（アナログ／ディジタル）サービスは終了する。
【先行技術文献】
【非特許文献】
【０００８】
【非特許文献１】“公衆電話インフォメーション”、[online]、東日本電信電話株式会社、[平成２１年１２月７日検索]、インターネット、＜URL:http://www.ntt-east.co.jp/ptd/＞
【発明の概要】
【発明が解決しようとする課題】
【０００９】
前記したように、従来のような公衆電話サービスはＰＳＴＮ網で実現されるものであり、ＩＰネットワーク（以下、ＩＰ網と呼ぶときがある）で実現されるものではない。すなわち、ＩＰ網技術には、ＧＣ交換機に配備された前記したような課金機能、収納度数のＣＤＲ反映機能等がないことや、情報を識別するフィールドやシーケンスがないため、ＩＰ網で公衆電話サービスを実現することができなかった。
【００１０】
本発明は、前記問題に鑑みてなされたものであり、ＩＰ網で公衆電話サービスを実現することができる、公衆電話サービスシステム、公衆電話サービス方法、及びプログラムを提供することを目的とする。
【課題を解決するための手段】
【００１１】
前記目的を達成するために、本発明に係る公衆電話サービスシステムは、ＩＰネットワーク内のＩＰ変換装置と、呼制御サーバと、アプリケーションサーバとが互いに電話番号を含んだデータを通信することで前記ＩＰネットワークに接続される公衆電話機から他の電話機への通話を可能にする公衆電話サービスシステムであって、前記公衆電話機から送信されるダイヤル信号を、前記ＩＰネットワークの呼接続信号に変換し、前記呼制御サーバを介して前記アプリケーションサーバに送信するダイヤル信号変換部と、前記アプリケーションサーバから送信され、当該公衆電話機に課金を指示する前記ＩＰネットワークの収納指示信号を、電話網の収納信号に変換し、当該公衆電話機に送信する収納信号変換部と、前記収納指示信号に対して、当該公衆電話機から送信される収納の結果を通知する信号を、ＩＰネットワークの収納結果信号に変換し、前記呼制御サーバを介して前記アプリケーションサーバに送信する収納結果信号変換部と、を備えるＩＰ変換装置と、前記ダイヤル信号の送信元の公衆電話機に接続される前記ＩＰ変換装置から、前記呼接続信号を受信し、さらに、当該呼接続信号を、前記呼制御サーバを介して前記他の電話機に送信する呼接続信号制御部と、発信着信点間距離、及び時間帯を基にした単位料金あたりの通話時間である課金レートが記憶される記憶部と、前記呼接続信号を受信した場合に、公衆電話機が一回に収納する料金である度数及び収納周期を、前記課金レートを用いて決定する度数収納周期決定部と、前記呼接続信号に対して、当該他の電話機から呼接続が成功した応答信号を受信したときに、前記応答信号に前記決定した度数を含む課金情報を付与した前記収納指示信号として前記呼制御サーバを介して当該公衆電話機に送信する応答収納信号生成部と、前記決定した収納周期に従い、前記決定した度数を含む課金情報を設定した前記収納指示信号を生成し、前記呼制御サーバを介して当該公衆電話機に送信する周期収納指示信号生成部と、前記収納の結果を通知する信号の送信元の公衆電話機に接続される前記ＩＰ変換装置から、前記収納結果信号を受信したときに、料金を収納できていれば回線を維持し、料金を収納できていなければ回線を切断する収納結果判定部と、を備えるアプリケーションサーバと、を含んで構成されることを特徴とする。
【００１２】
また、本発明に係る公衆電話サービス方法は、ＩＰネットワーク内のＩＰ変換装置と、呼制御サーバと、アプリケーションサーバとが互いにデータを通信することで、前記ＩＰネットワークに接続される公衆電話機から他の電話機への通話を可能にする公衆電話サービスシステムに用いられる公衆電話サービス方法であって、前記ＩＰ変換装置が、前記公衆電話機からのダイヤル信号を、前記ＩＰネットワークの呼接続信号に変換した後に、前記呼接続信号を前記呼制御サーバを介して前記アプリケーションサーバに送信するステップと、前記アプリケーションサーバが、記憶部に記憶される、発信着信点間距離、及び時間帯を基にした単位料金あたりの通話時間である課金レートを用いて、当該公衆電話機が一回に収納する料金である度数及び収納周期を決定するステップと、前記呼制御サーバを介して通話先の当該他の電話機に送信するステップと、前記呼接続信号に対する応答信号を、当該他の電話機から前記呼制御サーバを介して受信するステップと、当該他の電話機から受信した前記応答信号に前記決定した度数を含む課金情報を付与し、当該公衆電話機に課金を指示する収納指示信号として、前記呼制御サーバを介して当該公衆電話機に接続される前記ＩＰ変換装置に送信するステップと、当該ＩＰ変換装置が、前記アプリケーションサーバから受信した前記収納指示信号を、応答収納信号に変換した後に当該公衆電話機に送信し、前記応答収納信号に対する収納結果情報を受信するステップと、前記公衆電話機から受信した前記収納結果情報を設定した収納結果信号を、前記呼制御サーバを介して前記アプリケーションサーバに送信するステップと、前記アプリケーションサーバが、前記決定した収納周期に従い、前記決定した度数を含む課金情報を設定した収納指示信号を、前記呼制御サーバを介して当該公衆電話機に接続される前記ＩＰ変換装置に送信するステップと、前記ＩＰ変換装置が、前記アプリケーションサーバから受信した前記収納指示信号を、周期収納信号に変換した後に当該公衆電話機に送信し、前記周期収納信号に対する収納結果情報を受信するステップと、前記公衆電話機から受信した前記収納結果情報を設定した収納結果信号を、前記呼制御サーバを介して前記アプリケーションサーバに送信するステップと、を実行することを特徴とする。
【００１３】
このようにすることで、ＩＰネットワークにおいて、アプリケーションサーバが、度数及び収納周期を決定し、応答信号に決定した度数を含む課金情報を付与した収納指示信号として公衆電話機に送信し、また、決定した収納周期に従い、決定した度数を含む課金情報が設定された収納指示信号を公衆電話機に送信することで、公衆電話機の課金処理を行うことができる。よって、本発明に係る公衆電話サービスシステム及び公衆電話サービス方法は、ＩＰ網で課金処理を必要とする公衆電話サービスを実現することができる。
【００１４】
また、本発明に係る公衆電話サービスシステムは、前記度数収納周期決定部が、前記度数とは異なる度数を含んだ呼び出し信号を受信し、当該呼び出し信号から、新たに収納周期及び度数を決定する、ことを特徴とする。
【００１５】
また、本発明に係る公衆電話サービ方法は、前記アプリケーションサーバが、前記記憶部に記憶される、発信着信点間距離、及び時間帯を基にした単位料金あたりの通話時間である課金レートを用いて、当該公衆電話機が一回に収納する料金である度数及び収納周期を決定するステップにおいて、前記アプリケーションサーバが、前記度数とは異なる度数を含んだ呼び出し信号を受信し、当該呼び出し信号から、新たに収納周期及び度数を決定する、ことを特徴とする。
【００１６】
このようにすることで、アプリケーションサーバの記憶部に記憶される課金レートとは異なる課金レートで通話を行う場合に、通話に適用する課金レートを通話先から受信し、新たな課金レートで度数及び収納周期を決定し、新たに決定した度数及び収納周期で公衆電話機の課金処理を行うことができる。ここで、アプリケーションサーバの記憶部に記憶される課金レートとは異なる課金レートで通話を行う場合とは、例えば、公衆電話機から、ＩＰネットワークと、ＩＰネットワークの管理者とは異なる者が管理する電話網とを介して通話を行うときである。このような場合は、異なる者が管理する電話網の課金レートを管理することが難しい場合があり、そのようなときでも、異なる者が管理する電話網の課金レートを受信し、公衆電話機の課金処理を行うことができる。よって、本発明に係る公衆電話サービスシステム及び方法は、課金レートを管理していない通話においても、ＩＰ網で課金処理を必要とする公衆電話サービス及び公衆電話サービス方法を実現することができる。
【００１７】
また、本発明に係る公衆電話サービスシステムは、前記アプリケーションサーバ、または前記ＩＰ変換装置が、前記ダイヤル信号の送信元の公衆電話機に接続される前記ＩＰ変換装置から、前記呼接続信号を受信した場合に、前記呼接続信号に発信者番号を通知不可とするパラメータを設定する発番号通知部をさらに備える、ことを特徴とする。
【００１８】
このように、呼接続信号に発信者番号を通知不可とするパラメータを設定する発番号通知部を備えることで、公衆電話サービスシステムは、呼接続信号のパラメータから発信者番号が通知不可であることを判断することができる。よって、本発明に係る公衆電話サービスシステムは、発信先の電話機に発信元の公衆電話機の電話番号を非表示にする公衆電話サービスを実現することができる。
【００１９】
また、本発明に係る公衆電話サービスシステムは、前記呼制御サーバ、または前記アプリケーションサーバが、前期呼接続信号に設定されている電話番号が、通話可能な番号帯か否かを識別し、通話可能な番号帯なら接続処理に移行する接続制限部をさらに備える、ことを特徴とする。
【００２０】
このように、通話可能な番号帯か否かを識別し、通話可能な番号帯なら接続処理に移行する接続制限部を備えることで、公衆電話サービスシステムは、公衆電話機からの接続を規制されている電話番号への接続を制限することができる。よって、本発明に係る公衆電話サービスシステムは、接続先を限定した公衆電話サービスを実現することができる。
【００２１】
また、本発明に係る公衆電話サービスシステムは、前記ＩＰ変換装置、前記呼制御サーバ、または前記アプリケーションサーバが、前記呼接続信号のパラメータに、発信者端末が公衆電話機を示すパラメータを設定する優先制御部をさらに備え、前記ＩＰ変換装置、前記呼制御サーバ、及び前記アプリケーションサーバが、前記優先制御部を備える場合に、前記公衆電話機を示すパラメータを設定されている呼接続信号を優先して処理する、ことを特徴とする。
【００２２】
このように、発信者端末が公衆電話機を示すパラメータを設定し、呼接続信号を優先して処理する優先制御部を備えることで、公衆電話サービスシステムは、公衆電話機からの発信を、一般電話機の発信よりも優先して回線を接続することができる。よって、本発明に係る公衆電話サービスシステムは、公衆電話機の通話を優先した公衆電話サービスを実現することができる。
【００２３】
また、本発明に係る公衆電話サービスシステムは、前記アプリケーションサーバが、非課金指示を受信することで、前記公衆電話機に前記収納指示信号を送信しない公衆無料化部をさらに備える、ことを特徴とする。
【００２４】
このように、公衆無料化部を備えることで、公衆電話サービスシステムは、公衆電話機への収納指示を停止することができる。公衆電話機への収納を停止する場合としては、例えば、災害時などで公衆電話機の利用が集中し、公衆電話機が備える金庫が硬貨で充満した場合である。このような場合は、課金処理が行えないことにより公衆電話機が使用できなくなることを回避する必要がある。そこで、公衆電話機からの通話を無料にして、硬貨、プリペイドカードから料金を収納しないようにする。よって、本発明に係る公衆電話サービスシステムは、一時的に課金処理を停止することができる公衆電話サービスを実現することができる。
【００２５】
また、本発明に係る公衆電話サービスシステムは、前記公衆電話機がアナログ公衆電話機である場合に、前記ＩＰ変換装置、前記呼制御サーバ、または前記アプリケーションサーバが、前記公衆電話機が備える緊急ボタンを押下されたことを認識し、緊急呼を許容する番号に通話する以外はダイヤル信号を送信しない緊急ボタン発信部をさらに備える、ことを特徴とする。
【００２６】
このように、緊急ボタン発信部を備えることで、公衆電話サービスシステムは、アナログ公衆電話機に備えられる緊急ボタンを押下し、緊急呼を許容する番号（例えば、「１１０」、「１１８」、「１１９」等）に通話する場合、ノーコイン発信を許容することができる。よって、本発明に係る公衆電話サービスシステムは、接続先を限定した上で課金処理を行わない公衆電話サービスを実現することができる。
【００２７】
また、本発明に係る公衆電話サービスのプログラムは、前記公衆電話サービス方法を前記ＩＰ変換装置、呼制御サーバ、アプリケーションサーバに実行させることを特徴とする。
【００２８】
このようにすることで、本発明に係るプログラムは、ＩＰ網で課金処理を必要とする公衆電話サービスを実現することができる。
【発明の効果】
【００２９】
本発明によれば、ＩＰ網で公衆電話サービスを実現することができる。
【図面の簡単な説明】
【００３０】
【図１】本発明の第１実施形態に係る公衆電話サービスシステムの構成図である。
【図２】第１実施形態に係る（ａ）公衆電話機（ｂ）ＩＰ変換装置（発側）の機能構成図である。
【図３】第１実施形態に係る加入者サーバ（発側）の機能構成図である。
【図４】第１実施形態に係る網内アプリケーションサーバの機能構成図である。
【図５】第１実施形態に係る（ａ）中継サーバ（ｂ）加入者サーバ（着側）の機能構成図である。
【図６】第１実施形態に係る（ａ）ＩＰ変換装置（着側）（ｂ）加入電話機の機能構成図である。
【図７】第１実施形態に係る公衆電話サービスシステムのシーケンス図（前半）である。
【図８】第１実施形態に係る公衆電話サービスシステムのシーケンス図（後半）である。
【図９】本発明の第２実施形態に係る公衆電話サービスシステムの構成図である。
【図１０】第２実施形態に係る（ａ）ＰＳＴＮ−ＧＷ（ｂ）中継交換機（ＩＧＳ／ＩＣ）の機能構成図である。
【図１１】第２実施形態に係る加入者系交換機（ＧＣ）の機能構成図である。
【図１２】第２実施形態に係る公衆電話サービスシステムのシーケンス図（前半）である。
【図１３】第２実施形態に係る公衆電話サービスシステムのシーケンス図（後半）である。
【図１４】アナログ及びディジタル公衆電話サービスシステム特有の機能を備えたＩＰ変換装置（発側）の機能構成図である。
【図１５】課金制御部を網内アプリケーションサーバに配備する場合のシーケンス図である。
【図１６】課金制御部を加入者サーバ（発側）に配備する場合のシーケンス図である。
【図１７】課金制御部をＩＰ変換装置（発側）に配備する場合のシーケンス図である。
【図１８】従来のＰＳＴＮ網を利用した、公衆電話サービスシステムの構成図である。
【図１９】従来のＰＳＴＮ網を利用した、アナログ公衆電話サービスシステムのシーケンス図である。
【図２０】従来のＰＳＴＮ網を利用した、ディジタル公衆電話サービスシステムのシーケンス図である。
【発明を実施するための形態】
【００３１】
＜＜第１実施形態に係る公衆電話サービスシステムの構成＞＞
（概要）
図１は、本発明の第１実施形態に係る公衆電話サービスシステム１を示す構成図である。公衆電話サービスシステム１は、公衆電話機２、ＩＰ変換装置３Ａ（発側）、ＩＰ変換装置３Ｂ（着側）、加入者サーバ４Ａ（発側）、加入者サーバ４Ｂ（着側）、網内アプリケーションサーバ５（以下、「網内ＡＳ５」と呼ぶときがある）、中継サーバ６、加入電話機７、電話網８Ａ，８Ｂ（以下、まとめて「電話網８」と呼ぶときがある）、ＩＰネットワーク９を備えて構成される。以下、公衆電話サービスシステム１を構成する装置について説明する。
【００３２】
（公衆電話機、加入電話機）
即時料金徴収電話としての公衆電話機２は、例えば、街頭などに設置され、硬貨、プリペイドカード等を用いて料金を支払う電話機である。非即時料金徴収電話としての加入電話機７は、例えば、一般家庭に設置され、硬貨、プリペイドカード等を用いないで料金を支払う電話機である。
【００３３】
また、公衆電話機２は、アナログ公衆電話機、及びディジタル公衆電話機のどちらであってもよい。以下、公衆電話機２といった場合は、アナログ公衆電話機、及びディジタル公衆電話機を含むものとする。
【００３４】
公衆電話機２としてアナログ公衆電話機を用いる場合の公衆電話サービスシステム１を、アナログ公衆電話サービスシステム（以下、アナログ公衆電話ＳＳと呼ぶときがある）という。公衆電話機２としてディジタル電話機を用いる場合の公衆電話サービスシステム１を、ディジタル公衆電話サービスシステム（以下、ディジタル公衆電話ＳＳと呼ぶときがある）という。以下、公衆電話サービスシステム１（以下、公衆電話ＳＳと呼ぶときがある）といった場合は、アナログ公衆電話サービスシステム、及びディジタル公衆電話サービスシステムを含むものとする。
【００３５】
（ＩＰ変換装置）
ＩＰ変換装置３Ａ，３Ｂ（以下、まとめてＩＰ変換装置３と呼ぶときがある）は、アナログ回線で使用する信号、またはＩＳＤＮ（Integrated Services Digital Network）回線で使用する信号を、ＩＰプロトコル（Internet Protocol）に則した形式に変換する装置である。ＩＰ変換装置３は、例えば、ＣＰＵ、メモリ、周辺回路、ＨＤＤ等を備える。
【００３６】
（加入者サーバ、中継サーバ、網内ＡＳ）
呼制御サーバとしての加入者サーバ４Ａ，４Ｂ（以下、まとめて加入者サーバ４と呼ぶときがある）は、加入者系呼処理を行うサーバである。呼制御サーバとしての中継サーバ６は、中継系呼処理を行うサーバである。網内ＡＳ５は、公衆電話サービスを提供するためのアプリケーションサーバである。加入者サーバ４、中継サーバ６、網内ＡＳ５は、例えば、ＣＰＵ、メモリ、周辺回路、ＨＤＤ等を備える。
【００３７】
（電話網）
電話網８は、アナログ、またはディジタルの電話網である。アナログの電話網としては、例えば、加入者線（電話線）があげられる。ディジタルの電話網としては、ＩＳＤＮ（Integrated Services Digital Network）があげられる。
【００３８】
（ＩＰネットワーク）
ＩＰネットワーク９は、ＬＡＮ（Local Area Network）、ＷＡＮ（Wide Area Network）等であり、有線、無線のどちらか一方、または両方で構成され、データ通信を実現する。ＩＰネットワーク９内では、ＩＰプロトコルに則って通信が行われている。
以上で、第１実施形態に係る公衆電話サービスシステム１の構成の説明を終了する。
【００３９】
＜＜第１実施形態に係る公衆電話サービスシステムの機能＞＞
次に、第１実施形態に係る公衆電話サービスシステム１は、公衆電話サービスを実現するために各装置が種々の機能を備える。図２〜図６では、各装置が備える各機能を「○○部」と記載する。各機能は、図示しないメモリにプログラムをロードし、図示しないＣＰＵを用いて実行することで実現される。以下、第１実施形態に係る公衆電話サービスシステム１が備える各機能について説明する。なお、第１実施形態では、ＲＦＣ３２６１として標準化されているＳＩＰ（Session Initiation Protocol）を用いて呼制御が行われているものとする。
【００４０】
最初に、すべての装置が備える機能を説明する。図示しない通信部は、公衆電話機２、ＩＰ変換装置３、加入者サーバ４、網内ＡＳ５、中継サーバ６、及び加入電話機７の各装置が備え、データの送受信を行う。通信部は、各装置が備えるＬＡＮ用のアダプタ装置、ＩＳＤＮ通信回線用のＴＡ、またはモデム等（いずれも図示せず）を介してデータの送受信を行う。以下、他の「○○部」がデータを送信する、というような記載がある場合には、通信部を介してデータの送信が行われていることを意味する。
【００４１】
＜公衆電話機２が備える機能＞
次に、図２（ａ）を参照して、公衆電話機２が備える機能を説明する。公衆電話機２は、通話部２１と、通話制御部２２と、課金部２３とを備える。以下、公衆電話機２が備える各機能を説明する。
【００４２】
通話部２１は、音声等をマイクを介して入力しＩＰ変換装置３Ａに送出し、またはＩＰ変換装置３Ａから受信したトーン（例えば、呼び出し音（以下、ＲＢＴと呼ぶときがある））や音声等をスピーカを介して出力することにより、通話を実現する。
【００４３】
通話制御部２２は、発信者がダイヤルを押下したときに、ダイヤル信号をＩＰ変換装置３Ａに送出する。
【００４４】
課金部２３は、硬貨、またはカードを図示しない挿入口から受け付ける。また、ＩＰ変換装置３Ａから送出される課金を指示する応答収納信号、及び周期収納信号（以下、合わせて「収納信号」と呼ぶときがある）を受信すると、挿入された硬貨、またはカード等から該当する料金を収納する。
【００４５】
＜ＩＰ変換装置３Ａが備える機能＞
次に、図２（ｂ）を参照して、発側のＩＰ変換装置３Ａが備える機能を説明する。ＩＰ変換装置３Ａは、通話部３１Ａと、通話制御部３２Ａと、課金部３３Ａと、プロトコル変換部３４Ａとを備える。また、このプロトコル変換部３４Ａは、ダイヤル信号変換部３４１Ａと、ＲＢＴ変換部３４２Ａと、収納信号変換部３４３Ａと、収納結果信号変換部３４４Ａとを含んで構成される。さらに、ＩＰ変換装置３Ａは、優先制御部８２と、公衆無料化部８３とを備えることができる。以下、ＩＰ変換装置３Ａが備える各機能を説明する。
【００４６】
通話部３１Ａは、公衆電話機２が送出した音声を、ディジタル信号に変換し、ＩＰ変換装置３Ｂに送信する。また、加入電話機７が送出した音声を、アナログ信号に変換し、公衆電話機２に送出する。
【００４７】
通話制御部３２Ａは、公衆電話機２が送出したダイヤル信号を受信する。また、公衆電話機２に対して、トーン（例えば、ＲＢＴ）を送出する。
【００４８】
課金部３３Ａは、硬貨、またはカードから料金を収納する収納信号を、公衆電話機２に送出する。
【００４９】
プロトコル変換部３４Ａは、アナログ回線で使用する信号、またはＩＳＤＮ回線で使用する信号を、ＩＰプロトコルに則した形式に変換する。以下、変換する信号の種類に分けて、プロトコル変換部３４Ａの機能を説明する。
【００５０】
ダイヤル信号変換部３４１Ａは、公衆電話機２から送信されるダイヤル信号を、ＩＰネットワーク９の呼接続信号としてのＩＮＶＩＴＥリクエストに変換し、加入者サーバ４Ａに送信する。
【００５１】
ＲＢＴ変換部３４２Ａは、加入者サーバ４Ａから送信される、呼び出し信号として１８０Ｒｉｎｇｉｎｇ（以下、「１８０」と呼ぶときがある）を、電話網８ＡのＲＢＴに変換し、公衆電話機２に送出する。
【００５２】
収納信号変換部３４３Ａは、加入者サーバ４Ａから送信される、公衆電話機２に課金を指示するＩＰネットワーク９の応答収納指示信号、周期収納指示信号（以下、合わせて「収納指示信号」と呼ぶときがある）としての２００ＯＫまたはＩＮＦＯを、電話網８Ａの収納信号に変換し、公衆電話機２に送出する。
【００５３】
収納結果信号変換部３４４Ａは、公衆電話機２に課金を指示する収納指示信号に対して、公衆電話機２から送信される収納の結果を通知する信号を、ＩＰネットワーク９の収納結果信号としてのＡＣＫ、または２００ＯＫに変換し、加入者サーバ４Ａに送信する。
【００５４】
優先制御部８２は、公衆電話機２からの発信を、図示しない他の一般電話の発信よりも優先して回線を接続する。優先制御部８２は、呼接続信号としてのＩＮＶＩＴＥリクエストのｃｐｃパラメータに、発信者端末が公衆電話機２を示すパラメータとしての「payphone」を設定する。そして、優先制御部８２は、加入者サーバ４等の装置で、ｃｐｃパラメータに「payphone」が設定されているか否かで公衆電話機２からの発信であるかを判断し、ｃｐｃパラメータに「payphone」が設定されていれば、その呼接続信号を各装置で優先して送信する。また、運用保守端末から、公衆電話及び優先して接続する電話以外の発信を受け付けない制御指示を行うようにしてもよい。なお、優先制御部８２は、ＩＰ変換装置３の他に、加入者サーバ４、網内ＡＳ５、及び中継サーバ６に配備することが可能である（後記する図３〜図６参照）。
【００５５】
公衆無料化部８３は、災害時など公衆電話機の利用が集中し、公衆電話機２が備える金庫が硬貨で充満した場合、公衆電話機２が使用できなくなることを回避するために、公衆電話機２からの通話を無料として、硬貨、プリペイドカードから料金を徴収しないようにする。公衆無料化部８３は、図示しない運用保守端末からの非課金指示を受信することにより、課金部３３Ａが公衆電話機２に対して送出する、課金を指示する収納信号を停止する。それにより、公衆電話機２の徴収を行わなくても、公衆電話機２から通話を可能にする。なお、公衆無料化部８３は、ＩＰ変換装置３Ａの他に、加入者サーバ４Ａ（図３参照）、及び網内ＡＳ５（図４参照）に配備することが可能である。
【００５６】
＜加入者サーバ４Ａが備える機能＞
次に、図３を参照して、発側の加入者サーバ４Ａが備える機能を説明する。加入者サーバ４Ａは、プロトコル制御部４１Ａを備える。また、このプロトコル制御部４１Ａは、呼接続信号制御部４１１Ａと、呼び出し信号制御部４１２Ａ、応答信号制御部４１３Ａと、応答収納指示信号制御部４１４Ａと、周期収納指示信号制御部４１５Ａとを含んで構成される。さらに、加入者サーバ４Ａは、優先制御部８２と、公衆無料化部８３と、接続制限部８４とを備えることができる。以下、加入者サーバ４Ａが備える各機能を説明する。なお、優先制御部８２と、公衆無料化部８３については、ＩＰ変換装置３Ａ（図２（ｂ）参照）が備える機能で説明をしたので、説明は省略する。
【００５７】
プロトコル制御部４１Ａは、発信者と受信者の呼制御を行う。以下、リクエスト、及びレスポンスの種類に分けて、プロトコル制御部４１Ａの機能を説明する。
【００５８】
呼接続信号制御部４１１Ａは、ＩＰ変換装置３Ａから送信される、呼接続信号としてのＩＮＶＩＴＥリクエストを、網内ＡＳ５に転送する。また、網内ＡＳ５から送信される、先に転送した呼制御信号としてのＩＮＶＩＴＥリクエストを、中継サーバ６に転送する。
【００５９】
呼び出し信号制御部４１２Ａは、中継サーバ６から送信される、呼び出し信号としての１８０Ｒｉｎｇｉｎｇを、網内ＡＳ５に転送する。また、網内ＡＳから送信される、先に転送した呼び出し信号としての１８０Ｒｉｎｇｉｎｇを、ＩＰ変換装置３Ａに転送する。
【００６０】
応答信号制御部４１３Ａは、中継サーバ６から送信される、応答信号としての２００ＯＫを、網内ＡＳ５に転送する。
【００６１】
応答収納指示信号制御部４１４Ａは、網内ＡＳ５から送信される、応答収納指示信号としての２００ＯＫを、ＩＰ変換装置３Ａに転送する。また、ＩＰ変換装置３Ａから送信される、収納結果信号としてのＡＣＫを、網内ＡＳ５に転送する。
【００６２】
周期収納指示信号制御部４１５Ａは、網内ＡＳ５から送信される、周期収納指示信号としてのＩＮＦＯを、ＩＰ変換装置３Ａに転送する。また、ＩＰ変換装置３Ａから送信される、収納結果信号としての２００ＯＫを、網内ＡＳ５に転送する。
【００６３】
接続制限部８４は、公衆電話機２からの接続を規制されている電話番号の接続を制限する機能である。接続制限部８４は、呼接続信号としてのＩＮＶＩＴＥリクエストに設定されている番号が、通話可能な番号帯か否かを識別することで、接続を制限するか否かを判断する。接続制限部８４は、通話可能な番号帯なら、接続処理に移行する。なお、接続制限部８４は、加入者サーバ４Ａ（図３参照）、網内ＡＳ５（後記する図４参照）に配備することが可能である。
【００６４】
＜網内ＡＳ５が備える機能＞
次に、図４を参照して、網内ＡＳ５が備える機能を説明する。網内ＡＳ５は、記憶部５０と、プロトコル制御部５１と、課金制御部５２とを備える。記憶部５０は、課金レート情報５０１と、ＣＤＲ５０２とを含んで構成される。プロトコル制御部５１は、呼接続信号制御部５１１と、呼び出し信号制御部５１２とを含んで構成されている。課金制御部５２は、度数収納周期決定部５２１と、応答収納指示信号生成部５２２と、周期収納指示信号生成部５２３と、収納結果判定部５２４と、ＣＤＲ反映部５２５とを含んで構成されている。さらに、網内ＡＳ５は、発番号通知部（発信者番号通知部）８１と、優先制御部８２と、公衆無料化部８３と、接続制限部８４とを備えることができる。以下、網内ＡＳ５が備える各機能を説明する。なお、優先制御部８２と、公衆無料化部８３についてはＩＰ変換装置３Ａ（図２（ｂ）参照）が備える機能で説明をし、接続制限部８４については加入者サーバ４Ａ（図３参照）が備える機能で説明をしたので、説明は省略する。
【００６５】
記憶部５０は、ＨＤＤ（Hard Disk Drive）等で構成され、種々のデータを例えばデータベースとして記憶する。以下、記憶する情報の種類に分けて、記憶部５０が備えるデータを説明する。
【００６６】
課金レート情報５０１は、発信着信点間距離、平日か休日か祝日か、及び時間帯を基にした単位料金あたりの通話時間（以下、「課金レート」と称する）が記憶されている。
【００６７】
ＣＤＲ５０２は、公衆電話機２を用いた通話に対して収納した度数が記録されている。
【００６８】
プロトコル制御部５１は、発信者と受信者の呼制御に使われる信号を転送する。以下、リクエスト、及びレスポンスの種類に分けて、プロトコル制御部５１の機能を説明する。
【００６９】
呼接続信号制御部５１１は、加入者サーバ４Ａから送信される、呼接続信号としてのＩＮＶＩＴＥリクエストを、加入者サーバ４Ａに返送する。
【００７０】
呼び出し信号制御部５１２は、加入者サーバ４Ａから送信される、呼び出し信号としての１８０Ｒｉｎｇｉｎｇを、加入者サーバ４Ａに返送する。
【００７１】
課金制御部５２は、公衆電話機２に対する課金処理の指示等、課金処理全般の制御を行う。以下、課金制御部５２の機能を説明する。
【００７２】
度数収納周期決定部５２１は、発信着信点間距離、及び日時を基にし、課金レート情報５０１の該当する課金レートを算出する。次に、度数収納周期決定部５２１は、算出した課金レートを用いて、公衆電話機２に投入された硬貨、プリペイドカードから料金を収納する周期（以下、「収納周期」と称する）と一回に収納する料金（以下、「度数」と称する）を決定する。ここで、収納周期及び度数の決定にあたり、公衆電話機２の種類等による収納できる種別（１０円、または１００円単位）が考慮される。つまり、公衆電話機２によっては、１０円単位でしか収納ができないもの、１００円単位でも収納できるもが存在し、収納周期及び度数の決定において考慮される必要がある。
【００７３】
応答収納指示信号生成部５２２は、加入者サーバ４Ａから呼接続が成功したとする応答信号としての２００ＯＫを受信したときに、応答信号に度数収納周期決定部５２１で決定した度数を含む課金情報を付与し、応答収納指示信号としての２００ＯＫを、加入者サーバ４Ａに返送する。
【００７４】
周期収納指示信号生成部５２３は、度数収納周期決定部５２１が決定した収納周期に従い、度数収納周期決定部５２１が決定した度数を含む課金情報を設定した周期収納指示信号としてのＩＮＦＯを生成し、加入者サーバ４Ａに送信する。
【００７５】
収納結果判定部５２４は、収納指示信号（応答収納指示信号、周期収納指示信号）に対する収納結果信号を、加入者サーバ４Ａから受信したときに、料金を収納できていれば回線を維持し、料金を収納できていなければ回線を切断する。
【００７６】
ＣＤＲ反映部５２５は、収納指示信号（応答収納指示信号、周期収納指示信号）に対する収納結果信号を、加入者サーバ４Ａから受信したときに、収納した度数をＣＤＲ５０２に反映する。ここで、公衆電話機２が、店頭などに置いてある硬貨及びカード両用の公衆電話機２（以下、店頭公衆電話機と称する）の場合、ＣＤＲ反映部５２５は、硬貨から収納した度数はＣＤＲ５０２に反映するが、カードから収納した度数はＣＤＲ５０２に反映しない。すなわち、店頭公衆電話機の料金の回収は、お店の人が行う場合があり、その後、回収した料金は店頭公衆電話機の所有者に渡される。その時、所有者に渡される料金は、硬貨から収納した度数分でよいため、このような処理が行われる。
【００７７】
発番号通知部８１は、発信元が公衆電話機である場合は、発信先の電話機に発信元の公衆電話機２の発信者番号としての電話番号を非表示にする。発番号通知部８１は、呼接続信号としてのＩＮＶＩＴＥリクエストのＰＡＩヘッダに、発信者端末の種類が公衆電話機である表示不可理由「C」を設定する。そして、加入者サーバ４等の装置で、ＰＡＩヘッダに「C」が設定されているか否かで公衆電話からの発信であるかを判断し、ＰＡＩヘッダに「C」が設定されていれば、発信者番号を通知不可とする。なお、発番号通知部８１は、ＩＰ変換装置３Ｂ（後記する図６ａ参照）に配備することが可能である。
【００７８】
＜中継サーバ６が備える機能＞
次に、図５（ａ）を参照して、中継サーバ６が備える機能を説明する。中継サーバ６は、プロトコル制御部６１を備える。また、このプロトコル制御部６１は、呼接続信号制御部６１１と、呼び出し信号制御部６１２と、応答信号制御部６１３とを含んで構成される。さらに、中継サーバ６は、優先制御部８２を備えることができる。以下、中継サーバ６が備える各機能を説明する。なお、優先制御部８２については、ＩＰ変換装置３Ａ（図２（ｂ）参照）が備える機能で説明をしたので、説明は省略する。
【００７９】
プロトコル制御部６１は、発信者と受信者の呼制御に使われる信号を転送する。以下、リクエスト、及びレスポンスの種類に分けて、プロトコル制御部６１の機能を説明する。
【００８０】
呼接続信号制御部６１１は、加入者サーバ４Ａから送信される、呼接続信号としてのＩＮＶＩＴＥリクエストを、加入者サーバ４Ｂに転送する。
【００８１】
呼び出し信号制御部６１２は、加入者サーバ４Ｂから送信される、呼び出し信号としての１８０Ｒｉｎｇｉｎｇを、加入者サーバ４Ａに転送する。
【００８２】
応答信号制御部６１３は、加入者サーバ４Ｂから送信される、応答信号としての２００ＯＫを、加入者サーバ４Ａに転送する。
【００８３】
＜加入者サーバ４Ｂが備える機能＞
次に、図５（ｂ）を参照して、着側の加入者サーバ４Ｂが備える機能を説明する。加入者サーバ４Ｂは、プロトコル制御部４１Ｂを備える。プロトコル制御部４１Ｂは、呼接続信号制御部４１１Ｂと、呼び出し信号制御部４１２Ｂと、応答信号制御部４１３Ｂとを含んで構成される。さらに、加入者サーバ４Ｂは、優先制御部８２を備えることができる。以下、加入者サーバ４Ｂが備える各機能を説明する。なお、優先制御部８２については、ＩＰ変換装置３Ａ（図２（ｂ）参照）が備える機能で説明をしたので、説明は省略する。
【００８４】
プロトコル制御部４１Ｂは、発信者と受信者の呼制御を行う。以下、リクエスト、及びレスポンスの種類に分けて、プロトコル制御部４１Ａの機能を説明する。
【００８５】
呼接続信号制御部４１１Ｂは、中継サーバ６から送信される、呼接続信号としてのＩＮＶＩＴＥリクエストを、ＩＰ変換装置３Ｂに転送する。
【００８６】
呼び出し信号制御部４１２Ｂは、中継サーバ６から送信される、呼接続信号としてのＩＮＶＩＴＥリクエストを受信したとき、呼び出し信号としての１８０Ｒｉｎｇｉｎｇを、中継サーバ６に送信する。
【００８７】
応答信号制御部４１３Ｂは、ＩＰ変換装置３Ｂから応答信号としての２００ＯＫを受信すると、応答信号としての２００ＯＫを、中継サーバ６に転送する。
【００８８】
＜ＩＰ変換装置３Ｂが備える機能＞
次に、図６（ａ）を参照して、着側のＩＰ変換装置３Ｂが備える機能を説明する。ＩＰ変換装置３Ｂは、通話部３１Ｂを備える。さらに、ＩＰ変換装置３Ｂは、発番号通知部８１と、優先制御部８２とを備えることができる。以下、ＩＰ変換装置３Ｂが備える各機能を説明する。なお、発番号通知部８１については網内ＡＳ５が備える機能で説明をし、優先制御部８２についてはＩＰ変換装置３Ａが備える機能で説明をしたので、説明は省略する。
【００８９】
通話部３１Ｂは、加入電話機７が送出した音声を、ディジタル信号に変換し、ＩＰ変換装置３Ａに送信する。また、公衆電話機２が送出した音声を、アナログ信号に変換し、加入電話機７に送出する。
【００９０】
＜加入電話機７が備える機能＞
次に、図６（ｂ）を参照して、加入電話機７が備える機能を説明する。加入電話機７は、通話部７１を備える。以下、加入電話機７が備える各機能を説明する。
【００９１】
通話部７１は、通話を実現するための機能である。通話部７１は、音声等をマイクを介して入力しＩＰ変換装置３Ｂに送出し、またはＩＰ変換装置３Ｂから受信したトーン（例えば、呼び出し音（以下、ＲＢＴと呼ぶときがある））や音声等をスピーカを介して出力する。
以上、第１実施形態に係る公衆電話サービスシステム１の機能の説明を終了する。
【００９２】
＜＜第１実施形態に係る公衆電話サービスシステムの動作＞＞
図７及び図８を参照して、第１実施形態に係る公衆電話サービスシステム１の動作を説明する。
発信者が公衆電話機２を介してダイヤルを行う。公衆電話機２の通話制御部２２は、ダイヤル信号をＩＰ変換装置３Ａに送信する（ステップＳ００１）。
【００９３】
ＩＰ変換装置３Ａの通話制御部３２Ａは、受信したダイヤル信号の発ユーザ種別から発信元が公衆電話機２と認識する。次に、ダイヤル信号変換部３４１Ａは、受信したダイヤル信号を呼接続信号としてのＩＮＶＩＴＥリクエストに変換する。ここで、優先制御部８２は、変換したＩＮＶＩＴＥリクエストのｃｐｃパラメータに、発信者端末の種類が公衆電話機であることを示すパラメータとしての「payphone」を設定する（ステップＳ００２）。次に、ダイヤル信号変換部３４１Ａは、変換したＩＮＶＩＴＥリクエストを加入者サーバ４Ａに送信する（ステップＳ００３）。
【００９４】
なお、公衆電話機２がディジタル公衆電話機であるディジタル公衆電話サービスシステムの場合、ダイヤル信号変換部３４１Ａは、符号化された度数部分を受信し、復号化、及び改ざんチェックを行う。後記する図８に示すステップＳ０２８、及びステップＳ０３４の収納結果時も同様である。
【００９５】
加入者サーバ４Ａの呼接続信号制御部４１１Ａは、呼接続信号としてのＩＮＶＩＴＥリクエストを受信すると、網内ＡＳ５に受信したＩＮＶＩＴＥリクエストを転送する（ステップＳ００４）。
【００９６】
網内ＡＳ５の呼接続信号制御部５１１は、呼接続信号としてのＩＮＶＩＴＥリクエストを受信する。ここで、発番号通知部８１は、ＩＮＶＩＴＥリクエストのＰＡＩ（P-Asserter-Identity）ヘッダに、表示不可理由のパラメータとしての「C」を設定する（ステップＳ００５）。また、度数収納周期決定部５２１は、発信着信点間距離、及び日時を基にして課金レート情報５０１から、該当する課金レートを算出する。次に、度数収納周期決定部５２１は、算出した課金レートに基づき、収納周期、及び度数を決定する（ステップＳ００６）。
【００９７】
次に、呼接続信号制御部５１１は、表示不可理由のパラメータを設置したＩＮＶＩＴＥリクエストを加入者サーバ４Ａに返送する（ステップＳ００７）。
【００９８】
なお、ステップＳ００４、またはステップＳ００７の動作の際、加入者サーバ４Ａ若しくは網内ＡＳ５が備える接続制限部８４は、受信した呼接続信号としてのＩＮＶＩＴＥリクエストが通話可能な番号帯か識別し、通話可能な場合は接続処理を継続する。
【００９９】
また、公衆電話機２がディジタル公衆電話機であるディジタル公衆電話サービスシステムの場合、ステップＳ００３、ステップＳ００４、またはステップＳ００７の動作の際に、ＩＰ変換装置３Ａのダイヤル信号変換部３４１Ａ、加入者サーバ４Ａの呼接続信号制御部４１１Ａ、若しくは網内ＡＳ５の呼接続信号制御部５１１は、ディジタル公衆電話機が正規のディジタル公衆電話機であるかを検証する。具体的には、発信時にディジタル公衆電話機より通知される発ＩＤが、該当する回線に許容された発ＩＤであるか否かを検証し、ディジタル公衆電話機が正規のディジタル公衆電話機である場合は、接続処理を継続する。
【０１００】
加入者サーバ４Ａの呼接続信号制御部４１１Ａは、呼接続信号としてのＩＮＶＩＴＥリクエストを受信すると、受信したＩＮＶＩＴＥリクエストを中継サーバ６を介して着側の加入者サーバ４Ｂに転送する（ステップＳ００８，ステップＳ００９）。
【０１０１】
加入者サーバ４Ｂの呼接続信号制御部４１１Ｂは、呼接続信号としてのＩＮＶＩＴＥリクエストを受信する。次に、呼び出し信号制御部４１２Ｂは、呼び出し信号としての１８０Ｒｉｎｇｉｎｇを中継サーバ６を介して加入者サーバ４Ａに送信する（ステップＳ０１０，ステップＳ０１１）。
【０１０２】
加入者サーバ４Ａの呼び出し信号制御部４１２Ａは、呼び出し信号としての１８０Ｒｉｎｇｉｎｇを受信すると、受信した１８０Ｒｉｎｇｉｎｇを網内ＡＳ５を介してＩＰ変換装置３Ａに転送する（ステップＳ０１２，ステップＳ０１３，ステップＳ０１４）。
【０１０３】
ＩＰ変換装置３ＡのＲＢＴ変換部３４２Ａは、呼び出し信号としての１８０Ｒｉｎｇｉｎｇを受信すると、受信した１８０Ｒｉｎｇｉｎｇを電話網８ＡのＲＢＴに変換し、公衆電話機２に送出する（ステップＳ０１５）。公衆電話機２の通話部２１は、受信したＲＢＴを出力し、発信者は呼び出し中であることが分かる。
【０１０４】
次に図８を参照して動作を説明する。着側の加入者サーバ４Ｂの応答信号制御部４１３Ｂは、図示しないＩＰ変換装置３Ｂから応答信号としての２００ＯＫを受信すると、２００ＯＫを中継サーバ６を介して加入者サーバ４Ａに転送する（ステップＳ０２１，ステップＳ０２２）。
【０１０５】
加入者サーバ４Ａの応答信号制御部４１３Ａは、応答信号としての２００ＯＫを受信すると、受信した２００ＯＫを網内ＡＳ５に転送する（ステップＳ０２３）。
【０１０６】
網内ＡＳ５の応答収納指示信号生成部５２２は、応答信号としての２００ＯＫを受信すると、ステップＳ００６で決定した度数を含む課金情報を２００ＯＫに設定する（ステップＳ０２４）。そして、応答収納指示信号生成部５２２は、設定した２００ＯＫを、公衆電話機２に課金を指示する収納指示信号としての２００ＯＫとし、加入者サーバ４Ａを介してＩＰ変換装置３Ａに送信する（ステップＳ０２５，ステップＳ０２６）。
【０１０７】
なお、公衆電話機２がディジタル公衆電話機であるディジタル公衆電話サービスシステムの場合、応答収納指示信号生成部５２２は、度数の他に、通話時間（通話レート）を付与し、収納指示信号として加入者サーバ４Ａを介してＩＰ変換装置３Ａに送信する。後記する、ステップＳ０３１も同様である。
【０１０８】
ＩＰ変換装置３Ａの収納信号変換部３４３Ａは、収納指示信号としての２００ＯＫを受信すると、収納指示信号を電話網８Ａ内の応答収納信号に変換し、応答収納信号を公衆電話機２に送出する（ステップＳ０２７）。
【０１０９】
なお、公衆電話機２がディジタル公衆電話機であるディジタル公衆電話サービスシステムの場合、収納信号変換部３４３Ａは、収納指示信号としての２００ＯＫをＤＳＳ１（ＣＯＮＮ）に変換し、ディジタル公衆電話機に送信する。
【０１１０】
ＩＰ変換装置３Ａの収納結果信号変換部３４４Ａは、応答収納信号に対する収納の結果としての収納結果情報を受信すると、受信した収納結果情報を収納結果信号としてのＡＣＫに変換し、加入者サーバ４Ａを介して網内ＡＳ５に送信する（ステップＳ０２８，ステップＳ０２９）。
【０１１１】
なお、公衆電話機２がディジタル公衆電話機であるディジタル公衆電話サービスシステムの場合、収納結果信号変換部３４４Ａは、収納の結果を通知するＤＳＳ１（ＣＯＮＮ  ＡＣＫ）を収納結果信号としてのＡＣＫに変換する。
【０１１２】
網内ＡＳ５のＣＤＲ反映部５２５は、収納結果信号としてのＡＣＫを受信すると、収納結果情報をＣＤＲに反映する（ステップＳ０３０）。ただし、公衆電話機２が店頭公衆電話機で、プリペイドカードから収納した場合は、ＣＤＲに反映しない。また、収納結果判定部５２４は、料金を収納できていれば回線を接続する。これにより、通話が開始される。
【０１１３】
網内ＡＳ５の周期収納指示信号生成部５２３は、ステップＳ００６（図７参照）で決定した収納周期に従い、度数を含む課金情報を設定した周期収納指示信号としてのＩＮＦＯを、加入者サーバ４Ａを介してＩＰ変換装置３Ａに送信する（ステップＳ０３１，ステップＳ０３２）。
【０１１４】
ＩＰ変換装置３Ａの収納信号変換部３４３Ａは、周期収納指示信号としてのＩＮＦＯを受信すると、周期収納指示信号を電話網８Ａ内の周期収納信号に変換し、周期収納信号を公衆電話機２に送出する（ステップＳ０３３）。
【０１１５】
なお、公衆電話機２がディジタル公衆電話機であるディジタル公衆電話サービスシステムの場合、収納信号変換部３４３Ａは、周期収納指示信号としてのＩＮＦＯをＤＳＳ１（ＦＡＣ）に変換しディジタル公衆電話機に送出する。
【０１１６】
ＩＰ変換装置３Ａの収納結果信号変換部３４４Ａは、周期収納信号に対する収納の結果としての収納結果情報を受信すると、受信した収納結果情報を収納結果信号としての２００ＯＫに変換し、加入者サーバ４Ａを介して、網内ＡＳ５へ送信する（ステップＳ０３４，ステップＳ０３５）。
【０１１７】
なお、公衆電話機２がディジタル公衆電話機であるディジタル公衆電話サービスシステムの場合、ＩＰ変換装置３Ａの収納結果信号変換部３４４Ａは、収納の結果を通知するＤＳＳ１（ＦＡＣ）を収納結果信号としての２００ＯＫに変換する。
【０１１８】
網内ＡＳ５のＣＤＲ反映部５２５は、収納結果信号としての２００ＯＫを受信すると、収納結果情報をＣＤＲに反映する（ステップＳ０３６）。ただし、公衆電話機２が店頭公衆電話機で、プリペイドカードから収納した場合は、ＣＤＲに反映しない。また、収納結果判定部５２４は、料金を収納できていなければ回線を切断する。それにより、通話が終了する。
【０１１９】
以降、ステップＳ０３１からステップＳ０３６の処理を繰り返す。これで、第１実施形態に係る公衆電話サービスシステム１の動作の説明を終了する。
【０１２０】
以上のように、第１実施形態に係る公衆電話サービスシステム１及び公衆電話サービス方法は、度数及び収納周期を決定し、応答信号に決定した度数を含む課金情報を付与した収納指示信号として公衆電話機２に送信し、また、決定した収納周期に従い、決定した度数を含む課金情報が設定された収納指示信号を公衆電話機２に送信することで、公衆電話機２の課金処理を行うことができる。よって、第１実施形態に係る公衆電話サービスシステム１及び公衆電話サービス方法によれば、ＩＰ網で課金処理を必要とする公衆電話サービスを実現することができる。
【０１２１】
＜＜第２実施形態に係る公衆電話サービスシステムの構成＞＞
（概要）
図９は、本発明の第２実施形態に係る公衆電話サービスシステム１００を示す構成図である。第２実施形態に係る公衆電話サービスシステム１００は、公衆電話機２、ＩＰ変換装置１０３Ａ、加入者サーバ１０４Ａ、網内ＡＳ１０５、ＰＳＴＮ−ＧＷ９１、中継交換機（ＩＧＳ／ＩＣ）９２、加入者系交換機（ＧＣ）９３、加入電話機７、電話網８Ａ，８Ｂ（以下、まとめて電話網８と呼ぶときがある）、ＩＰネットワーク９、ＰＳＴＮ網９４を備えて構成される。
【０１２２】
第１実施形態と第２実施形態の違いは、ＩＰネットワーク９にＰＳＴＮ−ＧＷ９１を介してＰＳＴＮ網が接続されており、公衆電話機２と加入電話機７との通話がＰＳＴＮ網９４を介して行われることである。
【０１２３】
ここで問題となるのが、ＰＳＴＮ網９４の管理を、ＩＰネットワーク９の管理者とは異なる者が管理している場合である。その場合、ＰＳＴＮ網９４内の課金レートを課金レート情報だけで管理するのが難しいときがある。つまり、事前にＰＳＴＮ網９４内の課金レートを知りえない場合が存在する。第２実施形態に係る公衆電話サービスシステムは、このように、課金レートを事前に管理していない通話においても、ＩＰ網で課金処理を必要とする公衆電話サービスを実現することができる。
【０１２４】
以下、第２実施形態に係る公衆電話サービスシステム１００を構成する装置について説明する。なお、第１実施形態の公衆電話サービスシステム１と同じ装置については同一符号を付して説明を省略する。また、第２実施形態では、ＲＦＣ３２６１として標準化されているＳＩＰを用いて呼制御が行われているものとする。
【０１２５】
（ＰＳＴＮ−ＧＷ９１、ＩＧＳ／ＩＣ９２、ＧＣ９３）
ＩＰ／ＰＳＴＮ接続装置としてのＰＳＴＮ−ＧＷ（ゲートウェイ）９１は、ＩＰネットワーク９と、ＰＳＴＮ（Public Switched Telephone Network）網９４という２つの異なるネットワークを接続する装置である。加入者系交換機（ＧＣ）９３は、ＰＳＴＮ網９４の加入者系呼処理を行う装置である。中継交換機（ＩＧＳ／ＩＣ）９２は、ＰＳＴＮ網９４の中継系呼処理を行う装置である。
【０１２６】
＜＜第２実施形態に係る公衆電話サービスシステムの機能＞＞
次に、図９に示す、第２実施形態に係る公衆電話サービスシステム１００を構成する各装置が備える各機能を説明する。説明は、第１実施形態に係る公衆電話サービスシステム１との相違する点のみ説明し、同一の機能については同一符号を付して、説明は省略する。なお、第２実施形態でも、ＲＦＣ３２６１として標準化されているＳＩＰで呼制御されるものする。
【０１２７】
＜公衆電話機２が備える機能＞
公衆電話機２が備える機能は、第１実施形態と同様なので、説明は省略する（図２（ａ）参照）。
【０１２８】
＜ＩＰ変換装置１０３Ａが備える機能＞
図９に示す、ＩＰ変換装置１０３Ａの機能構成は、第１実施形態のＩＰ変換装置３Ａの機能構成と同じなので、新たに図示はせず、図２（ｂ）を引用して説明する。以下、処理が異なる機能についてのみ、新たな符号を付すものとする。第１実施形態と比べて処理が異なる機能は、ＲＢＴ変換部３４２Ａであるので、第２実施形態のＩＰ変換装置１０３Ａは、図２のＲＢＴ変換部３４２ＡをＲＢＴ変換部１３４２Ａ（図示しない）と置き換える。ＲＢＴ変換部１３４２Ａは、加入者サーバ１０４Ａから送信される、呼び出し信号として１８ｘを、電話網８ＡのＲＢＴに変換し、公衆電話機２に送出する。
【０１２９】
＜加入者サーバ１０４Ａが備える機能＞
図９に示す、加入者サーバ１０４Ａの機能構成は、第１実施形態の加入者サーバ４Ａの機能構成と同じなので、新たに図示はせず、図３を引用して説明する。以下、処理が異なる機能についてのみ、新たな符号を付するものとする。第１実施形態と比べて処理が異なる機能は、呼接続信号制御部４１１Ａ、呼び出し信号制御部４１２Ａ、応答信号制御部４１３Ａ、応答収納指示信号制御部４１４Ａ、周期収納指示信号制御部４１５Ａである。
【０１３０】
第２実施形態の加入者サーバ１０４Ａでは、図３の呼び出し信号制御部４１２Ａを呼び出し信号制御部１４１２Ａ（図示しない）と置き換える。呼び出し信号制御部１４１２Ａは、ＰＳＴＮ−ＧＷ９１から送信される、度数及び種別を含んだ課金情報を備える呼び出し信号としての１８ｘを、網内ＡＳ１０５に転送する。また、網内ＡＳ１０５から送信される、先に転送した呼び出し信号としての１８０ｘを、ＩＰ変換装置１０３Ａに転送する。
【０１３１】
また、第２実施形態の加入者サーバ１０４Ａでは、図３の呼接続信号制御部４１１Ａ、応答信号制御部４１３Ａ、応答収納指示信号制御部４１４Ａ、周期収納指示信号制御部４１５Ａを、呼接続信号制御部１４１１Ａ、応答信号制御部１４１３Ａ、応答収納指示信号制御部１４１４Ａ、周期収納指示信号制御部１４１５Ａ（いずれも図示せず）と置き換える。呼接続信号制御部４１１Ａと、応答信号制御部４１３Ａと、応答収納指示信号制御部４１４Ａと、周期収納指示信号制御部４１５Ａとは、第１実施形態の機能の説明の中継サーバ６をＰＳＴＮ−ＧＷ９１に置き換えて適用する。
【０１３２】
＜網内ＡＳ１０５が備える機能＞
図９に示す、網内ＡＳ５の機能構成は、第１実施形態の網内ＡＳ５の機能構成と同じなので、新たに図示はせず、図４を引用して説明する。以下、処理が異なる機能についてのみ、新たな符号を付するものとする。第１実施形態と比べて処理が異なる機能は、呼び出し信号制御部５１２、度数収納周期決定部５２１であるので、第２実施形態の網内ＡＳ１０５では、図４の該当する機能を、呼び出し信号制御部１５１２、及び度数収納周期決定部１５２１（いずれも図示せず）と置き換える。
【０１３３】
呼び出し信号制御部１５１２は、加入者サーバ１０４Ａから送信される、呼び出し信号としての１８ｘを、加入者サーバ１０４Ａに返送する。
【０１３４】
度数収納周期決定部１５２１は、第１実施形態の度数収納周期決定部５２１で説明した機能に加えて、度数及び種別を含んだ課金情報を備える呼び出し信号としての１８ｘから、収納周期と度数を決定する。ここで種別（１０円、または１００円単位）が送信されてくる意味は、例えば、国際電話は１００円単位で料金が収納されるので、度数及び収納周期の決定ではそのことが考慮される必要があるためである。なお、発信先電話番号等から、国際電話であることを判定し、種別を受信しないで生成することもできる。
【０１３５】
また、第１実施形態の度数収納周期決定部５２１の機能を有する意味は、ＰＳＴＮ網９４の課金レートを事前に協議して決定し、課金レート情報５０１で管理している場合に、第１実施形態で説明した機能で収納周期及び度数を決定し、事前の通知なしにＰＳＴＮ網９４の課金レートが変更された場合に、度数及び種別を含んだ課金情報を受信して前記した第２実施形態の機能で収納周期及び度数を決定することにある。
【０１３６】
＜ＰＳＴＮ−ＧＷ９１が備える機能＞
次に、図１０を参照して、ＰＳＴＮ−ＧＷ９１が備える機能を説明する。ＰＳＴＮ−ＧＷ９１は、プロトコル制御部９１１を備える。また、このプロトコル制御部９１１は、呼接続信号制御部９１１１と、呼び出し信号制御部９１１２と、応答信号制御部９１１３とを含んで構成される。さらに、ＰＳＴＮ−ＧＷ９１は、優先制御部８２を備えることができる。以下、ＰＳＴＮ−ＧＷ９１が備える各機能を説明する。  なお、優先制御部８２については、第１実施形態のＩＰ変換装置３Ａ（図２（ｂ）参照）が備える機能で説明をしたので、説明は省略する。
【０１３７】
プロトコル制御部９１１は、ＩＰネットワークの信号とＰＳＴＮ網９４の信号を相互に変換する。そして、発信者と受信者の呼制御に使われる信号を転送する。以下、リクエスト、及びレスポンスの種類に分けて、プロトコル制御部９１１の機能を説明する。
【０１３８】
呼接続信号制御部９１１１は、加入者サーバ１０４Ａから送信される、呼接続信号としてのＩＮＶＩＴＥリクエストを、ＰＳＴＮ網９４のＩＡＭ（Initial Address Message）に変換する。また、呼接続信号制御部９１１１は、ＩＡＭの発信ユーザ種別欄に公衆電話機２を表すパラメータを設定し、また、発ＩＤ欄に表示不可理由「C」を設定する。そして、ＩＧＳ／ＩＣ９２に転送する。
【０１３９】
呼び出し信号制御部９１１２は、ＩＧＳ／ＩＣ９２から送信される、呼び出し信号としてのＡＣＭ(Address Complete Message)、ＣＰＧ(Call Progress)等（以下、「ＡＣＭ等」という）を、ＩＰネットワーク９の１８ｘに変換し、加入者サーバ１０４Ａに転送する。
【０１４０】
応答信号制御部９１１３は、ＩＧＳ／ＩＣ９２から送信される、応答信号としてのＡＮＭ(Answer Message)を、ＩＰネットワーク９の２００ＯＫに変換し、加入者サーバ１０４Ａに転送する。
【０１４１】
＜ＩＧＳ／ＩＣ９２が備える機能＞
次に、図１０（ｂ）を参照して、ＩＧＳ／ＩＣ９２が備える機能を説明する。ＩＧＳ／ＩＣ９２は、プロトコル制御部９２を備える。プロトコル制御部９２は、呼接続信号制御部９２１１と、呼び出し信号制御部９２１２と、応答信号制御部９２１３とを含んで構成される。さらに、ＩＧＳ／ＩＣ９２は、優先制御部８２を備えることができる。以下、ＩＧＳ／ＩＣ９２が備える各機能を説明する。なお、優先制御部８２については、第１実施形態のＩＰ変換装置３Ａ（図２（ｂ）参照）が備える機能で説明をしたので、説明は省略する。
【０１４２】
プロトコル制御部９２１は、発信者と受信者の呼制御に使われる信号を転送する。以下、リクエスト、及びレスポンスの種類に分けて、プロトコル制御部９２１の機能を説明する。
【０１４３】
呼接続信号制御部９２１１は、ＰＳＴＮ−ＧＷ９１から送信される、呼接続信号としてのＩＡＭを、ＧＣ９３に転送する。
【０１４４】
呼び出し信号制御部９２１２は、ＰＳＴＮ−ＧＷ９１から送信される、呼接続信号としてのＩＡＭを受信したとき、呼び出し信号としてのＡＣＭ等を、ＰＳＴＮ−ＧＷ９１に送信する。
【０１４５】
応答信号制御部９２１３は、ＧＣ９３から応答信号としてのＡＮＭを受信すると、応答信号としてのＡＮＭを、ＰＳＴＮ−ＧＷ９１に転送する。
【０１４６】
＜ＧＣ９３が備える機能＞
次に、図１１を参照して、ＧＣ９３が備える機能を説明する。ＧＣ９３は、通話部９３１を備える。さらに、ＧＣ９３は、発番号通知部８１と、優先制御部８２とを備えることができる。通話部９３１は、加入電話機７が送出した音声を、ＩＧＳ／ＩＣ９２に転送する。なお、発番号通知部８１については第１実施形態の網内ＡＳ５（図４参照）が備える機能で説明をし、優先制御部８２については第１実施形態のＩＰ変換装置３Ａ（図２（ｂ）参照）が備える機能で説明をしたので、説明は省略する。
【０１４７】
＜加入電話機７が備える機能＞
加入電話機７が備える機能は、第１実施形態と同様なので、説明は省略する（図６（ｂ）参照）。
以上、第２実施形態に係る公衆電話サービスシステム１００の機能の説明を終了する。
【０１４８】
＜＜第２実施形態に係る公衆電話サービスシステムの動作＞＞
図１２及び図１３を参照して、第２実施形態に係る公衆電話サービスシステム１００の動作を説明する。また、説明は、第１実施形態に係る公衆電話サービスシステム１との相違する点のみ説明し、同一の動作については同一ステップを付して、説明は省略する。
【０１４９】
加入者サーバ１０４Ａの呼接続信号制御部１４１１Ａは、呼接続信号としてのＩＮＶＩＴＥリクエストを受信すると（図１２のステップＳ００７）、受信したＩＮＶＩＴＥリクエストをＰＳＴＮ−ＧＷ９１に転送する（ステップＳ５０１）。
【０１５０】
ＰＳＴＮ−ＧＷ９１の呼接続信号制御部９１１１は、加入者サーバ１０４Ａから送信される、呼接続信号としてのＩＮＶＩＴＥリクエストを、ＰＳＴＮ網９４のＩＡＭに変換する。このとき、呼接続信号制御部９１１１は、ＩＡＭの発信ユーザ種別欄に公衆電話機２を表すパラメータを設定し、また、発ＩＤ欄に表示不可理由「C」を設定する（ステップＳ５０２）。そして、ＩＧＳ／ＩＣ１０２に転送する（ステップＳ５０３）。
【０１５１】
ＩＧＳ／ＩＣ９２の呼接続信号制御部９２１１は、ＩＡＭを受信する。次に、呼び出し信号制御部９２１２は、呼び出し信号としてのＡＣＭ等をＰＳＴＮ−ＧＷ９１に送信する（ステップＳ５０４）。
【０１５２】
ＰＳＴＮ−ＧＷ９１の呼び出し信号制御部９１１２は、受信した呼び出し信号としてのＡＣＭ等を、ＩＰネットワーク９の１８ｘに変換し、加入者サーバ１０４Ａに転送する（ステップＳ５０５）。
【０１５３】
加入者サーバ１０４Ａの呼び出し信号制御部１４１２Ａは、呼び出し信号としての１８ｘを受信すると、受信した１８ｘを網内ＡＳ１０５に転送する（ステップＳ５０６）。
【０１５４】
網内ＡＳ１０５の度数収納周期決定部１５２１は、課金情報を含んだ呼び出し信号としての１８ｘから、収納周期と度数を決定する（ステップＳ５０７）。そして、加入者サーバ１０４Ａを介してＩＰ変換装置１０３Ａに転送する（ステップＳ５０８，ステップＳ５０９）。
【０１５５】
ＩＰ変換装置１０３ＡのＲＢＴ変換部１３４２Ａは、呼び出し信号としての１８ｘを受信すると、受信した１８ｘを電話網８ＡのＲＢＴに変換し、公衆電話機２に送出する（ステップＳ５１０）。公衆電話機２の通話部２１は、受信したＲＢＴを出力し、発信者は呼び出し中であることが分かる。
【０１５６】
次に図１３を参照して動作の説明を続ける。ＩＧＳ／ＩＣ９２の応答信号制御部９２１３は、応答信号としてのＡＮＭを受信すると、ＰＳＴＮ−ＧＷ９１に転送する（ステップＳ５１１）。
【０１５７】
ＰＳＴＮ−ＧＷ９１の応答信号制御部９１１３は、受信した応答信号としてのＡＮＭを、ＩＰネットワーク９の２００ＯＫに変換し、加入者サーバ１０４Ａに転送する（ステップＳ５１２）。その後は、第１実施形態のステップＳ０２３〜ステップＳ０３６と同じなので説明を省略する。
以上で、第２実施形態に係る公衆電話サービスシステム１００の動作の説明を終了する。
【０１５８】
以上のように、第２実施形態に係る公衆電話サービスシステム１００及び公衆電話サービス方法は、網内ＡＳ５の記憶部５０に記憶される課金レートとは異なる課金レートで通話を行う場合に、通話に適用する課金レートを通話先から受信し、新たな課金レートで度数及び収納周期を決定し、新たに決定した度数及び収納周期で公衆電話機２の課金処理を行うことができる。よって、第２実施形態に係る公衆電話サービスシステム１００及び公衆電話サービス方法によれば、課金レートを管理していない通話においても、ＩＰ網で課金処理を必要とする公衆電話サービスを実現することができる。
【０１５９】
＜＜アナログまたはディジタル公衆電話サービスシステム特有の機能＞＞
第１実施形態及び第２実施形態（以下、各実施形態と称す）に係る公衆電話サービスシステムに新たな機能を追加した例を説明する。追加する機能は、アナログ公衆電話サービスシステムまたはディジタル公衆電話サービスシステムで特有な機能である。なお、説明の便宜上、追加機能は第１実施形態に係る公衆電話サービスシステム１を用いて説明する。以下、図１４を参照して、追加機能について説明する。最初に、公衆電話サービスシステム１が、（１）アナログ公衆電話サービスシステムの場合に備える追加機能を説明し、その後に、（２）ディジタル公衆電話サービスシステムの場合の追加機能を説明する。
【０１６０】
（１）アナログ公衆電話サービスシステムの場合
＜ＩＰ変換装置３Ａが備える追加機能＞
図１４を参照して、第１実施形態に係るＩＰ変換装置３Ａが備える追加機能を説明する。ＩＰ変換装置３Ａは、追加機能として、緊急ボタン発信部８５と、ピンク電話識別部８６を備えることができる。なお、ＤＴファースト部８７は、ディジタル公衆電話サービスシステムの場合の追加機能であるので後記する。以下、各機能を説明する。
【０１６１】
緊急ボタン発信部８５は、アナログ公衆電話機に備えられる緊急ボタンを押下し、緊急呼を許容する番号（例えば、「１１０」、「１１８」、「１１９」等）に通話する場合、ノーコイン発信を許容する。緊急ボタン発信部８５は、アナログ公衆電話機２で緊急ボタンが押下されたことを認識して、ダイヤル信号受信時に、図示しない緊急呼用プリトランスレーションデータを索引する。そして、緊急ボタン発信部８５は、ダイヤル信号が緊急呼を許容する番号（例えば、「１１０」、「１１８」、「１１９」等）の場合は、ＩＰパケットに変換し発信し、緊急呼を許容する番号以外の場合は、ＢＴ接続として、ＩＰパケットを発信しない。なお、緊急ボタン発信部８５は、加入者サーバ４Ａ、または網内ＡＳ５（いずれも図示せず）に配備することが可能である。加入者サーバ４Ａ、網内ＡＳ５に配備する場合、緊急ボタン発信部８５は、緊急ボタンが押下された情報をＩＰ変換装置３Ａを介して公衆電話機２から受信し、ダイヤル信号が緊急呼を許容する番号か否かの判断を行うようにする。この際に、ＩＰ変換装置３Ａで緊急ボタンが押下されたことを認識して、加入者サーバ４Ａ、または網内ＡＳ５でダイヤル信号が緊急呼を許容する番号か否かの判断を行うようにしてもよい。
【０１６２】
ピンク電話識別部８６は、発信元のアナログ公衆電話がピンク電話機の場合に、ピンク電話機特有の機能を実現する。ピンク電話機特有の機能としては、例えば、公衆電話機２であっても優先して接続しないことがあげられる。ピンク電話識別部８６は、呼接続信号としてのＩＮＶＩＴＥリクエストのｃｐｃパラメータに、発信者端末がピンク電話機を示すパラメータとしての「pink-payphone」を設定する。網内ＡＳ５、加入者サーバ４等の装置で、ｃｐｃパラメータに「pink-payphone」が設定されているか否かでピンク電話機からの発信であるかを判断し、ｃｐｃパラメータに「pink-payphone」が設定されていれば、各装置でピンク電話機特有の処理を行う。
【０１６３】
（２）ディジタル公衆電話サービスシステムの場合
＜ＩＰ変換装置３Ａが備える追加機能＞
図１４を参照して、第１実施形態に係るＩＰ変換装置３Ａが備える追加機能を説明する。ＩＰ変換装置３Ａは、追加機能として、ＤＴファースト部８７を備えることができる。
【０１６４】
ＤＴファースト部８７は、ディジタル公衆電話機から通知される投入度数が「０」の場合でも、接続を許容する。ＤＴファースト部８７は、課金制御部５２を備える装置に、共に備えるようにするとよい。なお、ＤＴファースト部８７は、ＩＰ変換装置３Ａ、加入者サーバ４Ａ、及び網内ＡＳ５に配備することが可能である。
【０１６５】
＜＜課金制御部の他の装置への配備＞＞
第１実施形態では、図４に示すように、網内ＡＳ５が記憶部５０、及び課金制御部５２を備える。また、第２実施形態では、網内ＡＳ１０５（図示せず）が記憶部５０、及び課金制御部５２を備える。これに対し、各実施形態の加入者サーバ４Ａ，１０４Ａ、またはＩＰ変換装置３Ａ，１０３Ａが、記憶部５０、及び課金制御部５２を備えることも可能である。以下、図１５〜図１７を参照して、網内ＡＳ５，１０５、加入者サーバ４Ａ，１０４Ａ、及びＩＰ変換装置３Ａ，１０３Ａが記憶部５０、及び課金制御部５２を備える場合の特徴を示す。
【０１６６】
（網内ＡＳ５，１０５配備パターン）
図１５は、網内ＡＳ５，１０５が記憶部５０、及び課金制御部５２（いずれも図示せず）を備えた場合の課金処理のシーケンス図である。各実施形態は、この配備方法を適用しており、図８に示す、ステップＳ０２５以降の処理を簡略的に示したものが図１５に該当する。
【０１６７】
このように、網内ＡＳ５，１０５が記憶部５０、及び課金制御部５２を備えることで、公衆電話サービスシステム１，１００は、以下の特徴がある。（１）一台のアプリケーションサーバに複数の加入者サーバ４Ａ，１０４Ａを接続することにより、課金データの集約が可能である。（２）課金制御を行うサーバを専用に設けることで、ＩＰネットワーク９に従来からあるサーバ（例えば、既存の電話サービスシステムを構成する加入者サーバ４Ａ，１０４Ａが従来からある場合）への影響を小さくできる。
【０１６８】
（加入者サーバ４Ａ，１０４Ａ配備パターン）
図１６は、加入者サーバ４，１０４Ａが記憶部５０、及び課金制御部５２（いずれも図示せず）を備えた場合の課金処理のシーケンス図である。図１６は、図８に示すステップＳ０２５以降の処理を簡略的に示したものである。
【０１６９】
このように、加入者サーバ４Ａ，１０４Ａが記憶部５０、及び課金制御部５２を備えることで、公衆電話サービスシステム１，１００は、以下の特徴がある。ＩＰネットワーク９中で遅延が発生した場合、収納周期の精度が、網内ＡＳ配備パターンよりも高い。
【０１７０】
（ＩＰ変換装置３Ａ，１０３Ａ配備パターン）
図１７は、ＩＰ変換装置３Ａ，１０３Ａが記憶部５０、及び課金制御部５２（いずれも図示せず）を備えた場合の課金処理のシーケンス図である。図１７は、図８に示すステップＳ０２５以降の処理を簡略的に示したものである。
【０１７１】
このように、ＩＰ変換装置３Ａ，１０３Ａが記憶部５０、及び課金制御部５２を備えることで、公衆電話サービスシステム１，１００は、以下の特徴がある。（１）ＩＰネットワーク９中で遅延が発生した場合、収納周期の精度が、他の配備パターンに比べて最も高い。（２）課金制御をＩＰ変換装置３Ａ，１０３Ａで行うことで、ＩＰネットワーク９に従来からあるサーバ（例えば、既存の電話サービスシステムを構成する加入者サーバ４Ａ，１０４Ａが従来からある場合）への影響を小さくできる。
【０１７２】
また、ディジタル公衆電話サービスシステムでの収納結果判定では、収納結果の符号化部分の復号化、及び改ざんチェックを行う（ステップＳ００３で引用する、ステップＳ０２８、及びステップＳ０３４）。この処理をＩＰ変換装置に配備し、復号化してＩＰパケット化するＩＰ変換装置配備パターン（図１７）と、ＩＰ変換装置３Ａ，１０３Ａでは復号化せず、符号化のままＩＰパケット化し、網内ＡＳ５，１０５にて復号化、改ざんチェックを行う網内ＡＳ配備パターン（図１５）などが可能である。
【０１７３】
（課金制御部の他の装置への配備による効果）
前記した通り、網内ＡＳ５，１０５、加入者サーバ４Ａ，１０４Ａ、またはＩＰ変換装置３Ａ，１０３Ａが、記憶部５０、及び課金制御部５２を備えることが可能であり、配置する場所によって効果も異なる。その為、実現したい公衆電話サービスに合わせて、記憶部５０、及び課金制御部５２を備える装置を決定することが可能である。
【符号の説明】
【０１７４】
１              公衆電話サービスシステム
２              公衆電話機
３，３Ａ，３Ｂ  ＩＰ変換装置
４，４Ａ，４Ｂ  加入者サーバ（呼制御サーバ）
５              網内アプリケーションサーバ（アプリケーションサーバ）
６              中継サーバ（呼制御サーバ）
７              加入電話機（電話機）
８，８Ａ，８Ｂ  電話網
９              ＩＰネットワーク（ＩＰ網）
２１，３１Ａ，３１Ｂ，７１  通話部
２３，３３Ａ    課金部
３４Ａ          プロトコル変換部
３４１Ａ        ダイヤル信号変換部
３４２Ａ        ＲＢＴ変換部
３４３Ａ        収納信号変換部
３４４Ａ        収納結果信号変換部
４１Ａ，４１Ｂ，５１，６１  プロトコル制御部
４１１Ａ，４１１Ｂ，６１１  呼接続信号制御部
４１２Ａ，４１２Ｂ，５１２，６１２  呼び出し信号制御部
４１３Ａ，４１３Ｂ，６１３  応答信号制御部
４１４Ａ        応答収納指示信号制御部
４１５Ａ        周期収納指示信号制御部
５０            記憶部
５０１          課金レート情報
５０２          呼詳細情報（ＣＤＲ）
５２            課金制御部
５２１          度数収納周期決定部
５２２          応答収納指示信号生成部
５２３          周期収納指示信号生成部
５２４          収納結果判定部
５２５          ＣＤＲ反映部
８１            発番号通知部（発信者番号通知部）
８２            優先制御部
８３            公衆無料化部
８４            接続制限部
８５            緊急ボタン発信部
８６            ピンク電話識別部
８７            ＤＴファースト部
１３４２        ＲＢＴ変換部
１４１２Ａ，１５１２  呼び出し信号制御部
１５２１        度数収納周期決定部
９１          ＰＳＴＮ−ＧＷ
９１１        プロトコル制御部
９１１１      呼接続信号制御部
９１１２      呼び出し信号制御部
９１１３      応答信号制御部
【図１】
2011129987.tif 000003
【図２】
2011129987.tif 000004
【図３】
2011129987.tif 000005
【図４】
2011129987.tif 000006
【図５】
2011129987.tif 000007
【図６】
2011129987.tif 000008
【図７】
2011129987.tif 000009
【図８】
2011129987.tif 000010
【図９】
2011129987.tif 000011
【図１０】
2011129987.tif 000012
【図１１】
2011129987.tif 000013
【図１２】
2011129987.tif 000014
【図１３】
2011129987.tif 000015
【図１４】
2011129987.tif 000016
【図１５】
2011129987.tif 000017
【図１６】
2011129987.tif 000018
【図１７】
2011129987.tif 000019
【図１８】
2011129987.tif 000020
【図１９】
2011129987.tif 000021
【図２０】
2011129987.tif 000022